(57)【要約】【課題】指示部を最適な輝度で照明するとともに、均一な照明が容易に行える発光指針を提供する。【解決手段】指示部１および基部２を有する指針本体３と、基部２の周囲を覆うキャップ４と、基部２の背後に配置した指針座５とを備え、前記基部２は発光ダイオード７からの光を基部２内に導く受光部８と、この受光部８に入射した光を指示部１側に反射させる反射面９とを有し、前記指針座５は指針本体３が載置される台座部１２と、反射面９に当接するリブ１５とを有する。【選択図】  図２
2004354278.tif 000002
【特許請求の範囲】
【請求項１】
指示部および基部を有する指針本体と、前記基部の周囲を覆うキャップと、前記基部の背後に配置した指針座とを備え、前記基部は光源からの光を前記基部内に導く受光部と、この受光部に入射した前記光を前記指示部側に反射させる反射面とを有し、前記指針座は前記指針本体が載置される台座部と、前記反射面に当接もしくは近接するリブとを有していることを特徴とする発光指針。
【請求項２】
指示部および基部を有する指針本体と、前記基部の周囲を覆うキャップとを備え、前記基部は光源からの光を前記基部内に導く受光部と、この受光部に入射した前記光を前記指示部側に反射させる反射面とを有し、前記キャップは前記反射面に当接もしくは近接するリブを有していることを特徴とする発光指針。
【請求項３】
前記リブが暗色系であることを特徴とする請求項１または請求項２に記載の発光指針。
【発明の詳細な説明】
【０００１】
【発明の属する技術分野】
本発明は、例えば車両用計器に用いられる発光指針に関するものである。
【０００２】
【従来の技術】
発光タイプの指針を計器に用いた例として、例えば特開平１０−２４６６５３号公報がある。この計器用照明構造は、文字板４の開口部１２周囲に形成された環状の光透過部５に光透過量を調整して指針１０へ向かう光量を調整する光量調整印刷部１７を設けたものである。この様に構成したことにより、光透過部５を透過する光の量を調整して指針１０を最適の輝度で照明できるというものである。
【０００３】
【特許文献１】
特開平１０−２４６６５３号公報（図１、図２）
【０００４】
【発明が解決しようとする課題】
前記従来例において、指針１０へ向かう光量の調整は文字板４の開口部１２周囲に形成した光透過部５に光量調整印刷部１７を印刷することによって行っている。しかし、印刷の場合はインク自体の濃さや色味にバラツキが発生しやすい。すると、指針１０の明るさが一様とならないことがある。また、計器の構造上、文字板４に光透過部５を形成できない場合やプリズム６を用いない場合もある。この様な場合は、指針１０の反射端面１４にシボ（微細な凹凸）を施すことで対処する方法があるが、シボ加工のための金型が必要であり、最適なシボとするには金型修正が必要となるなど、シボの仕様決定までが容易ではない。
【０００５】
本発明はこの様な点に鑑みなされたもので、指示部を最適な輝度で照明するとともに、均一な照明が容易に行える発光指針を提供することを目的とする。
【０００６】
【課題を解決するための手段】
本発明は前記課題を解決するため、指示部および基部を有する指針本体と、前記基部の周囲を覆うキャップと、前記基部の背後に配置した指針座とを備え、前記基部は光源からの光を前記基部内に導く受光部と、この受光部に入射した前記光を前記指示部側に反射させる反射面とを有し、前記指針座は前記指針本体が載置される台座部と、前記反射面に当接もしくは近接するリブとを有するものである。
【０００７】
また、指示部および基部を有する指針本体と、前記基部の周囲を覆うキャップとを備え、前記基部は光源からの光を前記基部内に導く受光部と、この受光部に入射した前記光を前記指示部側に反射させる反射面とを有し、前記キャップは前記反射面に当接もしくは近接するリブを有するものである。
【０００８】
また、前記リブが暗色系であるものである。
【０００９】
【発明の実施の形態】
本発明を車両用計器に用いられる発光指針を実施形態として説明する。図１〜図３は本発明の第１実施形態を示し、図１は正面図、図２は図１に於けるＡ−Ａ断面図、図３はキャップを除いた斜視図を示す。本実施形態における発光指針は、指示部１と基部２が一体となった指針本体３と、基部２の周囲（前方および側方）を覆うキャップ４と、基部２の背後に配置される指針座５を備えている。
【００１０】
指針本体３は、アクリル，ポリカーボネート等の光透過性である（例えば無色透明な）合成樹脂からなり、指示部１の裏面には赤色の箔６がホットスタンプされている。基部２は背後に配置された発光指針照明用の光源としての発光ダイオード７からの光を内部に導く受光部８と、この受光部８に入射した光を指示部１側に反射させる反射面９を有している。受光部８は指針本体３の底面より後方（図２中、下側）に僅かに突き出している。
【００１１】
キャップ４は、非透過性である（例えば黒色の）合成樹脂からなるほぼ円形の逆カップ状であり、上部の一部には指示部１の表面が露出するようにスリット１０が設けてある。また、指示部１側の側面にも側面スリット１１が連設されており、この側面スリット１１から指示部１の前側が導出されている。
【００１２】
指針座５は例えば黒色の合成樹脂からなり、指針本体３が載置される台座部１２と、この台座部１２と一体の取付部１３を有している。なお、指針本体３に形成された受光部８と対応する台座部１２箇所には穴部１４が設けられており、この穴部１４に突出した受光部８が嵌り込んでいる。また、指針座５には指針本体３の反射面９に当接する板状のリブ１５が台座部１２から一体に設けてある。
【００１３】
この発光指針は、取付部１３を車両用計器の計器本体（図示せず）の回動軸１６の先端側に圧入することによって計器本体に固着される。そして、所定の計測量に応じて発光指針が回動し、指示部１が表示板１７に施された表示部（図示せず）を指し示すようになっている。
【００１４】
この様に構成された発光指針においては、指示部１は赤色で視認される。また、受光部８の下方に配設された指針照明用の例えば白色で発光する発光ダイオード７が点灯すると、発光ダイオード７からの光は受光部８に入射した後、反射面９で反射して指示部１側に向かい、指示部１が赤色で発光（照明）するようになる。
【００１５】
この様に、反射面９に当接するリブ１５を指針座５に設けたことにより、受光部８に入射した光が反射面９で反射して指示部１側に向かう際、光量が多少低下する。これは、反射面９に当接しているリブ１５が黒色であるためである。よって、反射面９で反射する光の量をリブ１５で調整して、指示部１を最適の輝度で照明することが可能となる。また、リブ１５で光量を調整できるため、照明バラツキの少ない発光指針を容易に（短時間で）得ることができる。また、指針本体３を異なる計器に流用したい場合は指針本体３の修正などが不必要であるため、それが可能となる。
【００１６】
なお、リブ１５（指針座５）を黒色としたが、黒色に限定するものではない。但し、黒色，灰色，濃青色，濃緑色など暗色系の方が光を吸収しやすく、光の反射量を調整しやすい。また、リブ１５は反射面９を全て覆う必要はなく、部分的でも良い。要は発光ダイオード７が点灯した際に指示部１を最適の輝度で照明できるとともに、指示部１の照明バランスがとれるようになっていれば良い。また、リブ１５は反射面９に当接するようにしたが、近接させておいても良い。
【００１７】
図４は本発明の第２実施形態を示す発光指針の断面図である。本実施形態における発光指針は、指示部１と基部２と取付部１３が一体となった指針本体３Ａと、基部２の周囲（前方および側方）を覆うキャップ４Ａとを備えている。
【００１８】
指針本体３Ａは、アクリル，ポリカーボネート等の光透過性である（例えば無色透明な）合成樹脂からなり、指示部１の裏面には赤色の箔６がホットスタンプされている。基部２は背後に配置された発光指針照明用の光源としての発光ダイオード７からの光を内部に導く受光部８と、この受光部８に入射した光を指示部１側に反射させる反射面９を有している。取付部１３は計器本体（図示せず）の回動軸１６の先端側に圧入される。そして、所定の計測量に応じて発光指針が回動し、表示板１７に施された表示部（図示せず）を指示するようになっている。なお、取付部１３は指針本体３Ａから分離していても良い。
【００１９】
キャップ４Ａは、非透過性である（例えば黒色の）合成樹脂からなるほぼ円形の逆カップ状であり、指示部１側の側面には側面スリット１１が設けてあり、この側面スリット１１から指示部１が導出されている。また、キャップ４Ａには指針本体３Ａの反射面９に当接する板状のリブ１５が一体に設けてある。
【００２０】
この様に構成された発光指針においては、指示部１は赤色で視認される。また、受光部８の下方に配設された指針照明用の例えば白色で発光する発光ダイオード７が点灯すると、発光ダイオード７からの光は受光部８に入射した後、反射面９で反射して指示部１側に向かい、指示部１が赤色で発光（照明）するようになる。
【００２１】
この様に、反射面９に当接するリブ１５をキャップ４Ａに設けたことにより、反射面９で反射する光の量をリブ１５で調整して、指示部１を最適の輝度で照明することが可能となるとともに、指示部１全体を均一に照明することができるなど、前記第１実施形態と同様の効果を得ることができる。なお、前記第１実施形態と同様にリブ１５は反射面９を全て覆う必要はなく、部分的でも良く、反射面９に近接するように配設しても良い。
【００２２】
なお、各実施形態において、受光部８の下方側に発光ダイオード７を配置して光を受光部８に入射するようにしたが、従来例の様に、受光部から離れた位置に配置した光源の光を受光部８まで導くようにしても良い。
【００２３】
【発明の効果】
以上詳述したように、本発明によれば、指示部を最適な輝度で照明するとともに、均一な照明が容易に行える発光指針を得ることができる。
【図面の簡単な説明】
【図１】本発明の第１実施形態を示す発光指針の正面図。
【図２】同実施形態を示す発光指針の断面図（図１に於けるＡ−Ａ断面）。
【図３】同実施形態を示す発光指針の斜視図。
【図４】本発明の第２実施形態を示す発光指針の断面図。
【符号の説明】
１  指示部
２  基部
３，３Ａ  指針本体
４，４Ａ  キャップ
５  指針座
７  発光ダイオード（光源）
８  受光部
９  反射面
１２  台座部
１５  リブ
【図１】
2004354278.tif 000003
【図２】
2004354278.tif 000004
【図３】
2004354278.tif 000005
【図４】
2004354278.tif 000006